(57)【要約】【課題】  加工布をワンタッチの操作で無理なく強力に挟着できる縫製枠を提供する。【解決手段】  縫製枠１は、略環状の外枠２と、外枠２との間に加工布を挟着する内枠３とを備える。内枠３に切離部７を形成し、加工布の脱着時に、トグル機構１１によって切離部７を内枠３の周方向に拡縮する。トグル機構１１は、内枠３の一端３ａに軸着されたリンク１２と、内枠３の他端３ｂに軸着されたレバー１４と、レバー１４の中間部にリンク１２の自由端を連結する連結軸１６とを備えている。レバー１４の先端部に連結軸１６を切離部７側へ駆動する操作部１４ｂを設ける。【選択図】        図１
2006304909.tif 000002
【特許請求の範囲】
【請求項１】
外枠と内枠との間に加工布を挟着する縫製枠において、内枠に切離部を形成し、切離部にて相対する内枠の両端間に、切離部を内枠の周方向に拡縮するトグル機構を設けたことを特徴とする縫製枠。
【請求項２】
前記トグル機構が、内枠の一端に軸着されたリンクと、内枠の他端に軸着されたレバーと、リンクの自由端をレバーの中間部に連結する連結軸とを備え、レバーの先端部に連結軸を切離部側へ駆動する操作部を設けた請求項１記載の縫製枠。
【請求項３】
前記トグル機構が、内枠の一端に軸着された第一リンクと、内枠の他端に軸着された第二リンクと、第一リンク及び第二リンクの自由端を連結する連結軸と、連結軸を切離部側へ駆動する操作部材とを備えた請求項１記載の縫製枠。
【発明の詳細な説明】
【技術分野】
【０００１】
本発明は、刺繍加工等の縫製加工に際して加工布を保持する縫製枠に関する。
【背景技術】
【０００２】
従来、内外複数の環状枠を用いて加工布を保持する縫製枠（主に刺繍加工のための縫製枠は刺繍枠という）が知られている。例えば、特許文献１には、外枠の内周に内枠を嵌合し、内枠の内周に補助枠を嵌合し、内外三つの環状枠で加工布を強固に挟着する縫製枠が記載されている。特許文献２には、外枠と内枠とを備えた縫製枠において、外枠の片隅に切離部を形成するとともに、切離部を拡縮するネジを設け、ネジを指先で締め付けて、加工布を挟着する技術が記載されている。
【特許文献１】特開２００５−３６３３０号公報
【特許文献２】特開平６−１０１１５５号公報
【発明の開示】
【発明が解決しようとする課題】
【０００３】
ところが、特許文献１の縫製枠によると、内外の環状枠を無理嵌めしているので、加工布に擦れ、張り跡、破れが生じる可能性があった。特許文献２の縫製枠は、外枠をネジで変形させることにより、加工布を無理なく脱着できるが、加工布をずれないように保持するためには、ネジを指先が痛くなるほど強く締め付ける必要があった。また、ネジが外枠に設けられているため、加工布がネジに被さり、特に筒形縫製品を加工する場合に、ネジの締め緩め操作に手間がかかるという問題点があった。
【０００４】
本発明の目的は、上記課題を解決し、ワンタッチの操作で加工布を無理なく強力に挟着できる縫製枠を提供することにある。
【課題を解決するための手段】
【０００５】
上記の課題を解決するために、本発明の縫製枠は、加工布を挟着する外枠と内枠とを備え、内枠に切離部を形成し、切離部にて相対する内枠の両端間に、切離部を内枠の周方向に拡縮するトグル機構を設けたことを特徴とする。
【０００６】
ここで、トグル機構としては、特に限定されないが、以下の機構（１）〜（６）を好ましく使用できる。
（１）内枠の一端に軸着されたリンクと、内枠の他端に軸着されたレバーと、レバーの中間部にリンクの自由端を連結する連結軸とを備え、レバーの先端部に連結軸を切離部側へ駆動する操作部を設けた機構。
（２）切離部を拡張した状態で、レバーを内枠の内面に接合させる機構。
（３）レバーを内枠の内面に接合させた状態で、連結軸をトグル機構の死点越え位置に停止させる機構。
【０００７】
（４）内枠の一端に軸着された第一リンクと、内枠の他端に軸着された第二リンクと、第一リンク及び第二リンクの自由端を連結する連結軸と、連結軸を切離部側へ駆動する操作部材とを備えた機構。
（５）切離部を拡張した状態で、操作部材を内枠の内面に接合させる機構。
（６）操作部材を内枠の内面に接合させた状態で、連結軸をトグル機構の死点越え位置に停止させる機構。
【発明の効果】
【０００８】
本発明の縫製枠によれば、切離部を拡縮するトグル機構を内枠に設けたので、加工布の表側からの操作により内枠を変形させて、加工布を無理なく挟着することができる。また、トグル機構は小さな入力で大きな出力を発生するため、ワンタッチの操作で加工布を強力に挟着することができる。
【発明を実施するための最良の形態】
【０００９】
以下、本発明の実施形態を図面に基づいて説明する。図１、図３に示すように、刺繍加工等の縫製加工に際して加工布を保持する縫製枠１は、円環状又は四角環状の外枠２と、外枠２との間に加工布を挟着する内枠３とを備えている。外枠２には、挟着力を調節するための開放部４とネジ５とが設けられている。内枠３には、縫製枠１を刺繍ミシンの枠駆動機構（図示略）に取り付けるための一対の把手６と、加工布の脱着時に内枠３を変形させるための切離部７とが設けられている。そして、切離部７にて相対する内枠３の両端３ａ，３ｂ間に、切離部７を内枠３の周方向に拡縮するトグル機構１１、２１が設けられている。以下に、トグル機構１１，２１の詳細について二つの実施例を挙げて説明する。
【実施例１】
【００１０】
図１、図２に示す実施例１のトグル機構１１は、上下一対のリンク１２と、リンク１２の基端を内枠３の一端３ａに軸着するピン１３と、内枠３の内側に設けられた一つのレバー１４と、レバー１４の基端を内枠３の他端３ｂに軸着するピン１５と、リンク１２の自由端をレバー１４の中間部に連結する連結軸１６とから構成されている。レバー１４は内枠３と略同じ曲率で内側へ湾曲する板状に形成され、レバー１４の中間部に連結軸１６を支持する軸受部１４ａが突設されている。レバー１４の先端部には連結軸１６を切離部７側へ駆動する操作部１４ｂが一体形成され、切離部７の拡張状態で、レバー１４が内枠３の内面に接合して切離部７を塞ぐようになっている（図２ｂ参照）。
【００１１】
この縫製枠１に加工布を張り付ける場合には、図２（ａ）に示すように、加工布Ｗを外枠２の上に被せ、外枠２の内側に内枠３を収め、操作部１４ｂを指先で押し、レバー１４を外枠２側へ回動する。すると、図２（ｂ）に示すように、リンク１２とレバー１４との相対角度が拡大し、切離部７が内枠３の周方向に拡張し、加工布Ｗが外枠２と内枠３との間に挟着される。このとき、軸受部１４ａが切離部７に進入し、レバー１４が内枠３の内面に接合し、連結軸１６がトグル機構１１の死点越え位置に停止する。
【００１２】
この状態で、縫製枠１を枠駆動機構に取り付け、加工布Ｗに例えば刺繍柄を縫製する。縫製後に加工布Ｗを縫製枠１から取り外す場合には、操作部１４ｂを指先で起こし、レバー１４を内枠３の内側に向けて回動する。すると、図２（ａ）に示すように、内枠３が自身の弾性で原形に戻り、リンク１２とレバー１４との相対角度が縮小し、切離部７が内枠３の周方向に収縮し、加工布Ｗが縫製枠１から解放される。なお、必要に応じ、外枠２のネジ５を回し、挟着力を加工布Ｗの厚さや種類に合わせて調節する。
【００１３】
この実施例１の縫製枠１によれば、次のような効果が得られる。
（ａ）切離部７を拡縮して内枠３を変形させるので、加工布Ｗを傷付けることなくソフトに挟着できる。
（ｂ）切離部７を拡縮するトグル機構１１を内枠３に設けたので、加工布Ｗの表側からの操作により、内枠３を容易に変形させることができる。
（ｃ）トグル機構１１は、小さな入力で大きな出力を発生するので、レバー１４を回動するだけのワンタッチ操作で、加工布Ｗを強力に挟着できる。
【００１４】
（ｄ）切離部７を拡張した状態では、レバー１４が内枠３の内面に接合しているので、内枠３のほぼ全面を縫製（刺繍）領域として有効に利用できる。
（ｅ）レバー１４が内枠３の内面に接合した状態では、連結軸１６がトグル機構１１の死点越え位置に停止しているので、縫製中の振動や衝撃によるレバー１４の戻りを防止して、トグル機構１１をクランプ形態に確実に保持できる。
【実施例２】
【００１５】
図３、図４に示す実施例２のトグル機構２１は、第一リンク２２と、第一リンク２２を内枠３の一端３ａに軸着するピン２３と、第一リンク２２に下側から重なる第二リンク２４と、第二リンク２４を内枠３の他端３ｂに軸着するピン２５と、第一リンク２２及び第二リンク２４の自由端を連結する連結軸２６と、連結軸２６を切離部７側へ駆動する操作部材２７とから構成されている。操作部材２７は内枠３と略同じ曲率で内側へ湾曲する板状に形成され、その中間部に連結軸２６を支持する軸受部２７ａが突設されている。第一及び第二リンク２２，２４は、基端が内枠３の両端に形成した横溝２８に挿入され、ピン２３，２５に結合され、自由端が軸受部２７ａに設けたスリット２９に挿入され、連結軸２６に結合されている。
【００１６】
そして、縫製枠１に加工布を張り付ける場合には、図４（ａ）に示すように、外枠２の上に加工布Ｗを被せ、外枠２の内側に内枠３を収め、操作部材２７を切離部７側へ押し込む。すると、図４（ｂ）に示すように、第一リンク２２と第二リンク２４との相対角度が拡大し、切離部７が内枠３の周方向に拡張し、加工布Ｗが外枠２と内枠３との間に挟着される。このとき、軸受部２７ａが切離部７に進入し、操作部材２７が内枠３の内面に接合して切離部７を塞ぎ、連結軸２６がトグル機構２１の死点越え位置に停止する。また、加工布Ｗの取り外しに際し、操作部材２７を内枠３の内側に引くと、内枠３が自身の弾性で原形に戻り、第一及び第二リンク２２，２４の相対角度が縮小し、切離部７が収縮し、加工布Ｗが縫製枠１から解放される。従って、実施例２のトグル機構２１を用いた場合も、実施例１と同様、加工布Ｗをワンタッチの操作で無理なく強力に挟着できる。
【図面の簡単な説明】
【００１７】
【図１】本発明の実施例１を示す縫製枠の斜視図である。
【図２】図１の縫製枠の使用方法を示す平面図である。
【図３】本発明の実施例２を示す縫製枠の斜視図である。
【図４】図３の縫製枠の使用方法を示す断面図である。
【符号の説明】
【００１８】
１    縫製枠
２    外枠
３    内枠
７    切離部
１１    トグル機構
１２    リンク
１４    レバー
１４ｂ    操作部
１６    連結軸
２１    トグル機構
２２    第一リンク
２４    第二リンク
２６    連結軸
２７    操作部材
Ｗ    加工布
【図１】
2006304909.tif 000003
【図２】
2006304909.tif 000004
【図３】
2006304909.tif 000005
【図４】
2006304909.tif 000006